(57)【要約】【課題】  衝撃荷重が付加されるおそれがあるガゼット袋について、耐衝撃性に優れたガゼット袋のシール構造を提供する。【解決手段】  一対の平面部、一対の側面部とを備えたガゼット袋に関し、開口部を密閉するガゼット袋のシール構造において、開口部を密閉するシール部２０を側面部を前記折り線４で折り込ませた状態で、前記開口部側の端縁から所定深さで平面部２と側面部３とを相互に貼り合わせて構成し、前記シール部２０の内縁と前記折り線４との交点より上方で前記折り線４の外側方に衝撃吸収シール部Ｑ１を設ける。【選択図】      図４
2005096861.tif 000002
【特許請求の範囲】
【請求項１】
対向する一対の平面部と、これら平面部の間に介在して前記平面部の側端同士を連絡すると共に、折り線により内方に折り込まれた一対の側面部とを備えたガゼット袋に関し、前記平面部と前記側面部とにより形成される開口部を密閉するガゼット袋のシール構造において、
前記開口部側には、前記側面部を前記折り線で折り込ませた状態で、ガゼット袋の前記開口部側の端縁に沿って所定深さで前記平面部の内面と前記側面部の内面とが相互に貼り合わされたシール部で密閉され、
しかも、前記シール部の内縁と前記折り線との交点より上方には、前記側面部の内面と前記平面部の内面とが相互に貼り合わされて形成された衝撃吸収シール部が設けられたことを特徴とするガゼット袋のシール構造。
【請求項２】
前記折り線の位置には、前記シール部の内縁をこのシール部の外縁側に向けて窪ませた非シール部が、前記一対の側面部にそれぞれ形成された前記折り線の双方を跨いで形成され
前記シール部の内縁は、前記折り線よりガゼット袋の外側方が前記シール部の内縁と前記折り線との交点より上方に位置されて、このガゼット袋の外側方の部位が前記衝撃吸収シール部として構成されたことを特徴とする請求項１に記載のガゼット袋のシール構造。
【請求項３】
前記非シール部は矩形状に窪まされ、前記シール部の内縁は、この非シール部の両側の部位と、この非シール部の内側縁に対応する部位とを円弧状に連絡して形成されていることを特徴とする請求項２に記載のガゼット袋のシール構造。
【請求項４】
前記非シール部は、その幅寸法に対する深さの寸法が少なくとも１／３となるように形成されていることを特徴とする請求項２又は請求項３に記載のガゼット袋のシール構造。
【請求項５】
対向する一対の平面部と、これら平面部の間に介在して前記平面部の側端同士を連絡すると共に、折り線により内方に折り込まれた一対の側面部とからなる袋本体と、
この袋本体の上部に形成された上部開口部に設けられ、内容物を注出させるスパウトと、を備えたスパウト付きガゼット袋において、
前記袋本体の下部に形成された下部開口部には、前記側面部を前記折り線で折り込ませた状態で、ガゼット袋の前記下部開口部側の端縁に沿って所定深さで前記平面部の内面と前記側面部の内面とが相互に貼り合わされたシール部が形成され、
しかも、前記シール部の内縁と前記折り線との交点より上方には、前記側面部の内面と前記平面部の内面とが相互に貼り合わされて形成された衝撃吸収シール部が設けられていることを特徴とするスパウト付きガゼット袋。
【請求項６】
前記折り線の位置には、前記シール部の内縁をこのシール部の外縁側に向けて窪ませた非シール部が、前記一対の側面部にそれぞれ形成された前記折り線の双方を跨いで形成されており、
前記シール部の内縁は、前記折り線よりガゼット袋の外側方が前記シール部の内縁と前記折り線との交点より上方に位置されて、このガゼット袋の外側方の部位が前記衝撃吸収シール部として構成されたことを特徴とする請求項５に記載のスパウト付きガゼット袋。
【請求項７】
前記非シール部は矩形状に窪まされ、前記シール部の内縁は、この非シール部の両側の部位と、この非シール部の内側縁に対応する部位とを円弧状に連絡して形成されていることを特徴とする請求項６に記載のスパウト付きガゼット袋。
【請求項８】
前記非シール部は、その幅寸法に対する深さの寸法が少なくとも１／３となるように形成されていることを特徴とする請求項６又は請求項７に記載のスパウト付きガゼット袋。
【発明の詳細な説明】
【技術分野】
【０００１】
本発明は、衝撃荷重による破損を防止するためのガゼット袋のシール構造に関する。
【背景技術】
【０００２】
従来から、食品、調味料あるいは洗剤やシャンプー等を収容する際に、対向する一対の平面部と、これら平面部の間に介在して前記平面部の側端同士を連絡し、中央が折り線により内方に折り込まれた一対の側面部とを備えたガゼット袋が使用されている。このガゼット袋は、側面部が折り畳まれた状態から開かれた状態に変化するため、内容物を袋内部に収容した際に、厚み方向に大きく寸法を採ることができる点で優れている。
【０００３】
しかしながら、かかるガゼット袋では、平面部及び側面部を相互にシールして、袋の上部又は下部を密閉しているシール部において、側面部の折り線とシール部の内縁とが交差する位置に応力が集中する傾向にある。このため、内容物を収容して側面部が広げられた状態で、ガゼット袋が落下すると、衝撃荷重により折り線部分とシール部の内縁との交点の位置でガゼット袋が破損することがあった。
【０００４】
かかる不都合を防止するため、特許文献１に記載のガゼット袋では、側面部の折り線とシール部とが交差する位置に関し、シール部をガゼット袋の下方に向けて窪ませた迂回シール部を設けている。
【０００５】
【特許文献１】特開２００２−１７３１４９号公報
【発明の開示】
【発明が解決しようとする課題】
【０００６】
しかし、特開２００２−１７３１４９号公報に記載の発明が対象としているのは、不要物を廃棄する際に不要物を一時的に収容する際に使用するためのガゼット袋であって、ガゼット袋に衝撃荷重が付加される場合までを想定したものではない。また、対象となるガゼット袋は、側面部が折り込まれた際に、形成された折り線同士の間隔が広いタイプのガゼット袋である。側面部が深く折り込まれ、各側面部に形成された折り線同士が接近し、両折り線同士の間隔が狭いガゼット袋には、対応しておらず、単純にこの先行技術を適応することができない。
【０００７】
そこで、本発明では、長期にわたり内容物を収容する必要があり、その間にガゼット袋に衝撃荷重が付加されるおそれがあるガゼット袋、特に側面部に形成された折り線同士が接近し、両者の間隔が狭いガゼット袋について、耐衝撃性に優れたガゼット袋のシール構造を提供する。
【課題を解決するための手段】
【０００８】
本発明では、上記課題を解決するために、対向する一対の平面部と、これら平面部の間に介在して前記平面部の側端同士を連絡すると共に、折り線により内方に折り込まれた一対の側面部とを備えたガゼット袋に関し、前記平面部と前記側面部とにより形成される開口部を密閉するガゼット袋のシール構造において、前記開口部を密閉するシール部は、前記側面部を前記折り線で折り込ませた状態で、ガゼット袋の前記開口部側の端縁に沿って所定深さで前記平面部の内面と前記側面部の内面とが相互に貼り合わされて構成され、前記シール部の内縁と前記折り線との交点より上方には、前記側面部の内面と前記平面部の内面とが相互に貼り合わされて形成された衝撃吸収シール部が設けられたガゼット袋のシール構造を採用した。
【０００９】
なお、上記のガゼット袋のシール構造に関し、前記折り線の位置には、前記シール部の内縁をこのシール部の外縁側に向けて窪ませた非シール部を、前記一対の側面部にそれぞれ形成された前記折り線の双方を跨いで形成し、前記シール部の内縁を、前記折り線よりガゼット袋の外側方が前記シール部の内縁と前記折り線との交点より上方に位置させて、このガゼット袋の外側方の部位を前記衝撃吸収シール部として構成するとよい。
【００１０】
また、前記非シール部を矩形状に窪ませ、前記シール部の内縁を、この非シール部の両側の部位と、この非シール部の内側縁に対応する部位とを円弧状に連絡して形成する。
【００１１】
さらに、前記非シール部は、その幅寸法に対する深さの寸法が少なくとも１／３となるように形成されるよう構成するとよい。
【００１２】
なお、以上のガゼット袋のシール構造をスパウト付きのガゼット袋に適用すれば、スパウト付きのガゼット袋について、上記の課題を解決することができる。具体的は、次の構成を採用する。
【００１３】
対向する一対の平面部と、これら平面部の間に介在して前記平面部の側端同士を連絡すると共に、折り線により内方に折り込まれた一対の側面部とからなる袋本体と、この袋本体の上部に形成された上部開口部に設けられ、内容物を注出させるスパウトと、を備えたスパウト付きガゼット袋において、前記袋本体の下部に形成された下部開口部には、前記側面部を前記折り線で折り込ませた状態で、ガゼット袋の前記下部開口部側の端縁に沿って所定深さで前記平面部の内面と前記側面部の内面とが相互に貼り合わされたシール部が形成され、しかも、前記シール部の内縁と前記折り線との交点より上方には、前記側面部の内面と前記平面部の内面とが相互に貼り合わされて形成された衝撃吸収シール部が設けられているスパウト付きガゼット袋を採用する。
【００１４】
また、このスパウト付きガゼット袋において、前記折り線の位置に、前記シール部の内縁をこのシール部の外縁側に向けて窪ませた非シール部を、前記一対の側面部にそれぞれ形成された前記折り線の双方を跨いで形成し、前記シール部の内縁を、前記折り線よりガゼット袋の外側方が前記シール部の内縁と前記折り線との交点より上方に位置させて、このガゼット袋の外側方の部位を前記衝撃吸収シール部として構成する。
【００１５】
さらに、前記非シール部を矩形状に窪ませ、前記シール部の内縁を、この非シール部の両側の部位と、この非シール部の内側縁に対応する部位とを円弧状に連絡して形成する。
【００１６】
なお、前記非シール部を、その幅寸法に対する深さの寸法が少なくとも１／３となるように形成するとよい。
【発明の効果】
【００１７】
本発明によれば、内容物が充填され、ガゼット袋がその厚み方向に押し広げられた状態において、ガゼット袋に衝撃荷重が付加された場合でも、折り線とシール部の内縁との交点に衝撃荷重を伝達させることなく、衝撃吸収シール部に分散させて衝撃荷重を受ける。衝撃吸収シール部に力が分散されるので、応力を低下させ、破損を効果的に阻止する。
【００１８】
また、前記シール部の内縁をこのシール部の外縁側に向けて窪ませた非シール部を、前記一対の側面部にそれぞれ形成された前記折り線の双方を跨いで形成すれば、一対のシールバーのみを用いて、開口部を密閉するシール部と衝撃吸収シール部の双方形成できる。
【００１９】
なお、上記のガゼット袋のシール構造に関し、前記非シール部は矩形状に窪まされ、前記シール部の内縁を、この非シール部の両側の部位と、この非シール部の内側縁に対応する部位とが円弧状に連絡されるように形成すると、付加される衝撃荷重を円弧の全体に分散させて効果的に応力の低下を図ることができる。また、上記のガゼット袋のシール構造において、前記非シール部を、その幅寸法に対する深さの寸法が少なくとも１／３となるように形成することで、特に優れた耐衝撃性を発揮する。
【発明を実施するための最良の形態】
【００２０】
以下、本発明に関する最良の実施形態について図面を参照しながら説明する。
【００２１】
図１は、本発明の一実施形態にかかるガゼット袋１に関し、内容物が収容された状態の斜視図を、図２は内容物を収容する前の状態にかかるガゼット袋１の斜視図をそれぞれ示している。また、図３は、ガゼット袋１に設けられたヒートシール部１１，２０の態様を示している。
【００２２】
このガゼット袋１は、対向する一対の平面部２，２と、これら平面部２，２の間に介在し、平面部２，２の側縁同士を連絡している一対の側面部３，３とから構成されている。
【００２３】
平面部２，２は、積層フィルムからなり、胴部５と、胴部５の上部にて胴部５と一体に形成された注出部９とから構成されている。胴部５の上部から下方の途中部分までの部位は、両側縁同士が所定寸法の間隔で平行をなすように形成されている一方で、胴部５の下部６は、下端に向かうにつれ先細りとなるように、斜辺により構成されている。そして、下端縁７が平坦に形成されている。また、胴部５の両肩部８，８は、両側縁から中央の注出部９にかけて、なだらかな曲線で形成されている。
【００２４】
一方、注出部９は、内部に収容された内容物を注出する際に、排出口として機能する部位であって、平面部２，２の幅方向の中央部にて、胴部５の上部から上方に向けて突出するように形成されている。なお、注出部９の上端には、ヒートシールされた際に、この注出部９の上端を密閉する封止部１０が設けられている。
【００２５】
側面部３，３は、積層フィルムが平面部２，２とほぼ同形に形成されたものであり、胴部５と注出部９とから構成されている。この側面部３，３は、その幅方向（ガゼット袋１の厚み方向）の中心に折り線４，４が設けられていて、この折り線４，４によりガゼット袋１の中央に向けて折り込まれている。
【００２６】
これら平面部２，２と側面部３，３とは、図３に示すように、各々の側縁同士が側縁に沿ってヒートシールされている。この側縁同士を貼り合わせているヒートシール部１１…１１は、一定の幅でそれぞれ形成されている。また、注出部９の上端に設けられた封止部１０も平面部２，２同士が相互にヒートシールされ、この注出部９の上端を密閉している。このように、側縁同士がヒートシールされると共に、上端の封止部１０がヒートシールされた状態が図２に示す状態である。なお、内容物は、図２に示すように、下部の開口された状態で、この下部の開口部Ａから充填される。内容物が充填された後、下部の開口部Ａが密閉され、図１に示す状態に形成される。
【００２７】
図４は、ガゼット袋１の下部を密閉するシール部２０の詳細を示している。
【００２８】
この図４に示すように、当該ガゼット袋１は、内容物を充填させていない状態で各側面部３，３を折り込むと、折り線４，４同士の間には僅かな隙間ｄを隔てて相互に極めて接近する。かかる態様のガゼット袋１の下部について、応力集中を低下させるシール構造がこの図４に示すシール部２０である。
【００２９】
シール部２０は、開口部Ａの設けられるガゼット袋１の下端縁から所定の深さＨで設けられている。そして、このシール部２０には、ガゼット袋１の幅方向の中央に、内縁２１を下端縁に向けて窪ませた非シール部２２が形成されている。この非シール部２２は、各側面部３，３に形成された折り線４，４の双方を当該非シール部２２の内側に位置させるように、二つの折り線４，４に跨るように形成されている。
【００３０】
この非シール部２２は、シール部２０の内縁２１を外縁側へ略矩形状に窪ませて形成されている。そして、シール部２０の内縁２１は、この非シール部２２より両側方の部位２１ａ，２１ａと、この部位２１ａ，２１ａと直交し、非シール部２２の内側部に対応する部位２３，２３との接続部分Ｑ１，Ｑ１が円弧状に形成されている。また、非シール部２２の底部に相当する部位２４と、内側部に対応する部位２３，２３についても、非シール部２２の隅部Ｑ２，Ｑ２にて円弧状に両者が接続されている。但し、隅部Ｑ２，Ｑ２に関しては、円弧状に接続させず、底部に相当する部位２４と内側部に対応する部位２３，２３とがそのまま直交して交わるように、シール部２０の内縁２１を形成しても構わない。
【００３１】
このガゼット袋１では、折り線４，４同士の間隔が、約３ｍｍとなるように側面部３，３が折り込まれる。このように、折り線４，４同士の間隔がおよそ５ｍｍ以内と、極めて接近するように側面部３，３が折り込まれるガゼット袋１では、非シール部２２の幅をＴ、深さをＳとしたとき、Ｓ／Ｔの値が少なくとも１／３となるようにその幅と深さを形成するとよい。
【００３２】
このように、ガゼット袋１の下部を密閉するシール部２０を形成すると、図５に示すように、シール部２０の内縁と折り線４，４との交点に外力を伝達させることなく、非シール部２２の両側方の部位２１ａ，２１ａと、これと直交する、非シール部２２の内側部に対応する部位２３，２３との接続部分Ｑ１，Ｑ１で外力を吸収する。この接続部分Ｑ１，Ｑ１である衝撃吸収シール部の作用は、非シール部２２を設けない従来品と比較するとわかりやすいので、図６に示す従来品と対比して説明する。
【００３３】
図６に示す従来品では、非シール部を設けないため、シール部２０の内縁２１と折り線４，４とは点Ｐ，Ｐのみで交わっていた。このため、内容物の収容された状態で、ガゼット袋１が落下すると、その衝撃は、すべて点Ｐ，Ｐに集中して作用していた。
【００３４】
一方、非シール部２２を形成した場合、ガゼット袋１に作用する衝撃荷重は、非シール部２２の底部に対応する部位２４と、折り線４，４との交点に到達する前に、衝撃吸収シール部である接続部分Ｑ１，Ｑ１で吸収される。この接続部分Ｑ１，Ｑ１は、図５に示すように、非シール部２２を間に挟んだ２ヶ所について平面部毎に形成され、合計４ヶ所に設けられる。このため、従来品では、極めて接近している２ヶ所の交点Ｐ，Ｐで受けていた衝撃荷重がこれら４ヶ所に分散される。しかも、衝撃吸収シール部である接続部分Ｑ１，Ｑ１は、点ではなく長さを持つ円弧である。このため、衝撃荷重にともなう応力が効果的に分散され、破損が阻止される。
【００３５】
以上、各側面部に形成された一対の折り線が接近するようにして折り込まれるガゼット袋を対象に説明したが、これには限定されない。
【００３６】
図７は、別の実施形態にかかるガゼット袋にシール構造を適用したものを示している。この図７に示すガゼット袋３０は、側面部３２，３２が折り線３３，３３で折り込まれた際に、折り線３３，３３同士の間隔ｄ１が広く空けられるものである。
【００３７】
シール部４０は、開口部の設けられるガゼット袋３０の下端縁から所定の深さで設けられる。そして、このシール部４０には、ガゼット袋３０の幅方向の中央に、内縁を下端縁に向けて窪ませた非シール部４２が形成される。この非シール部４２は、各側面部３２，３２に形成された折り線３３，３３の双方が内側に含まれるように、二つの折り線３３，３３に跨るようにして形成される。
【００３８】
この非シール部４２は、シール部４０の内縁４１を外縁側へ略矩形状に窪ませて形成されている。そして、シール部４０の内縁４１は、この非シール部４２より両側方の部位４１ａ，４１ａと、これと直交する、非シール部４２の内側部に対応する部位４３，４３との接続部分Ｑ３，Ｑ３が円弧状に形成されている。なお、この実施形態にかかるガゼット袋３０では、非シール部４２の底部に相当する部位４４と、内側部に対応する部位４３，４３との交点である隅部Ｑ４，Ｑ４は、両者を点で交差させており、特に交点を円弧状には形成していない。但し、隅部Ｑ４，Ｑ４にて両者を円弧状に接続してもよい。
【００３９】
この実施形態にかかるガゼット袋３０についても、非シール部４２の両側に位置するシール部が衝撃吸収シール部として機能する。即ち、内容物の充填されたガゼット袋３０が落下した場合などに受ける衝撃荷重は、折り線３３，３３とシール部４０との交点に到達することなく、非シール部４２の両側に位置するシール部、特に接続部分Ｑ３，Ｑ３に吸収される。
【００４０】
この接続部分Ｑ３，Ｑ３も平面部３１，３１毎にそれぞれ２ヶ所ずつ形成され、合計４ヶ所に設けられている。このため、衝撃荷重がこれら４ヶ所に分散され、応力を効果的に低下させている。また、各接続部分Ｑ３，Ｑ３は線としての円弧状に形成されているため、点で荷重を受ける場合に比して、大幅に応力を低下させる。
【００４１】
なお、この実施形態にかかる非シール部４２の寸法に関しては、その幅と深さとは、袋の形態に応じて適宜決めればよい。
【００４２】
図８は、さらに別の実施形態にかかるシール構造のガゼット袋５０を示している。
【００４３】
この図８に示すガゼット袋５０は、平面部５１，５１と側面部５２，５２とで形成される開口部を閉鎖するためのシール部６０とは、別個に衝撃吸収シール部６１，６１を設けている。このガゼット袋５０自体の構造は図１に示したガゼット袋と同様であり、対向する一対の平面部５１，５１と、これら平面部５１，５１の間に介在し、平面部５１，５１の側縁同士を連絡している一対の側面部５２，５２とから構成されている。ガゼット袋５０の下部は、下端に向かうにつれ先細りとなるように、斜辺により構成されている。そして、下端縁が平坦に形成されている。
【００４４】
開口部を閉鎖するためのシール部６０は、ガゼット袋５０の周縁に沿って所定の幅に形成される。そして、衝撃吸収シール部６１，６１は、楕円状に平面部５１，５１の内面と側面部５２，５２の内面とをそれぞれシールして形成されている。この衝撃吸収シール部６１，６１は、折り線５３，５３とシール部６０の内縁６０ａとが交差する点の上方で、かつ、折り線５３，５３よりガゼット袋５０の外側方の位置にそれぞれ設けられる。なお、この実施形態では、衝撃吸収シール部６１，６１を楕円状に形成したものを示しているが、これには限定されず、応力集中が生じない形状であれば、円形に設けるなど他の形状に形成しても構わない。
【００４５】
この実施形態にかかるガゼット袋５０についても、衝撃吸収シール部６１，６１が衝撃荷重を吸収し、内容物の充填されたガゼット袋５０が落下した場合などに受ける衝撃荷重は、折り線５３，５３とシール部６０の内縁６０ａとの交点に到達することがない。
【００４６】
この衝撃吸収シール部６１，６１も平面部５１，５１毎にそれぞれ２ヶ所ずつ形成され、合計４ヶ所に設けられている。このため、衝撃荷重がこれら４ヶ所に分散され、応力を効果的に低下させている。また、各衝撃吸収シール部６１，６１は楕円状に形成されているため、点で荷重を受ける場合に比して、大幅に応力を低下させる。このため、当該衝撃吸収シール部での破損は阻止される。
【００４７】
［実験例］
シール構造を改善したことにより、耐衝撃性がどの程度向上したのかを次の落下テストにより確認した。
【００４８】
落下テストは、４種類のテストサンプルを用意し、各サンプルに５００ｍｌの水を充填し、これらを５°Ｃ以下の温度で２４時間以上放置させたものに関して行った。図９は、タイプａのシール形状を有するテストサンプルである。タイプａのテストサンプルは、シール部２０の幅を下端縁から約１０ｍｍとし、ガゼット袋１の左右方向の中央に、幅Ｔが約１５ｍｍ、深さＳが約５ｍｍの非シール部２２を形成した。図１０は、タイプｂのシール形状を有するテストサンプルである。タイプｂのテストサンプルは、シール部２０の幅Ｈを下端縁から約１５ｍｍとし、ガゼット袋１の左右方向の中央に、幅Ｔが約１５ｍｍ、深さＳが約１０ｍｍの非シール部２２を形成した。そして、図１１は、タイプｃのシール形状を有するテストサンプルである。タイプｃのテストサンプルは、シール部２０の幅Ｈを下端縁から約１０ｍｍとし、ガゼット袋１の左右方向の中央に、幅Ｔが約８ｍｍ、深さＳが約５ｍｍの非シール部２２を形成した。
【００４９】
なお、各テストサンプルの層構成は、次の通りである。
【００５０】
ＰＥＴ＃１２／印刷層／ＤＬ／ＡＬ７μ／ＤＬ
／ＯＮＹ＃１５／ＤＬ／ＬＬＤＰＥ＃８０
【００５１】
テスト方法は、各テストサンプルについて、側面部３，３を上下方向に配置した横向き状態、並びに平面部２，２を上下方向に配置した水平状態又はガゼット袋１の高さ方向を上下に向けた垂直状態の３つの状態で、８０ｃｍ、１００ｃｍ、１２０ｃｍ、１５０ｃｍの高さからそれぞれ５個ずつ落下させた。そして、落下させた結果、５個のテストサンプルの内、いくつ破損したかを観測した。但し、従来品については、横向き状態についてのみ落下テストを行った。
【００５２】
落下テストの結果をまとめたものが表１である。
【００５３】
【表１】
2005096861.tif 000003
【００５４】
表１の中で、分母はテストサンプルの数を、分子は破損したテストサンプルの数をそれぞれ示している。表１に示すように、高さ８０ｃｍ及び１００ｃｍの位置から落下させた場合には、いずれのテストサンプルも破損することは無かった。しかし、高さ１２０ｃｍの位置から落下させた場合、従来品では、５個のテストサンプルのうち、１個のテストサンプルが破損した。一方、シールの構造を改善したテストサンプルは、いずれも破損しなかった。
【００５５】
そして、高さ１５０ｃｍの位置から落下させた場合、従来品では、５個のテストサンプルの内、３個のテストサンプルが破損した。これに対し、シール構造を改善したテストサンプルでは、タイプａのテストサンプルの１つが破損しただけで、他のテストサンプルは、破損しなかった。なお、ガゼット袋１の上側開口部を折り曲げ、この部位をテープで閉鎖させた条件のテストサンプルＦ及びテストサンプルＩでは、それぞれ、３個、５個のテストサンプルが破損した。これは、上側開口部を閉鎖させたことが、他のテストサンプルに比して、悪条件に作用した結果であると考察される。
【００５６】
テスト後のテストサンプルを観察すると、図１２に示すように、非シール部２２の内側部に対応する部位２３，２３と、非シール部２２の両側に位置するシール部の内縁２１ａ，２１ａとの接続部分Ｑ１，Ｑ１が円弧状に伸びている。
【００５７】
この落下テストの結果から明らかなように、側面部３，３に形成された折り線４，４に対応する位置で、シール部２０の内縁を外縁側へ窪ませた非シール部２２を形成すると、接続部分Ｑ１，Ｑ１に衝撃荷重が分散されるとともに、これらが衝撃荷重を吸収する。これにより、優れた耐衝撃性が発揮される。
【００５８】
以上のシール構造は、箱体に内袋を収納して使用するバッグインボックス用の内袋、袋体の上部にスパウトが取り付けられたスパウト付きガゼット袋、及び袋体の口部を再密封するためのジッパーが平面部の内面に取り付けられたジッパー付きガゼット袋等に適用することができる。図１３及び図１４は、スパウト付きガゼット袋７０に適用した一実施形態を示している。
【００５９】
このスパウト付きガゼット袋７０は、袋本体７１とこの袋本体７１の上部に取り付けられたスパウト９０とから構成されている。袋本体７１は、対向する一対の平面部７２，７２と、これら平面部７２，７２の間に介在し、平面部７２，７２の側縁同士を連絡している一対の側面部７３，７３とから構成されている。平面部７２，７２は、平坦なフィルム材が使用されている一方で、側面部７３，７３はその中央に折り線７４，７４がそれぞれ形成されている。側面部７３，７３は、この折り線７４，７４で袋本体７１の中心に向けて折り込まれる。
【００６０】
これら平面部７２，７２と側面部７３，７３とは、各々の側縁同士が側縁に沿ってヒートシールされている。この側縁同士を貼り合わせているヒートシール部７９は、一定の幅でそれぞれ形成されている。この袋本体７１も、図１に示したガゼット袋１と同様に、その上部から下方の途中部分までの部位は、両側縁同士が所定寸法の間隔で平行をなすように形成されている一方で、下部７６は、下端に向かうにつれ先細りとなるように、斜辺により構成されている。そして、下端縁７７が平坦に形成されている。また、袋本体７１の両肩部７８，７８は、両側縁から中央にかけて、なだらかな曲線で形成されている。なお、両肩部７８，７８では、平面部７２，７２と側面部７３，７３とヒートシール部７９である側縁同士が相互にポイントシールされて、平面部７２，７２同士が貼り合わされている。
【００６１】
そして、図１４に示すように、当該袋本体７１には、その下部に応力集中を低下させるシール構造が設けられている。
【００６２】
このシール構造を構成するシール部８０は、下部開口部側である袋本体７１の下端縁から所定の深さＨで設けられている。シール部８０には、袋本体７１の幅方向の中央に、内縁８１を下端縁に向けて窪ませた非シール部８２が形成されている。この非シール部８２は、各側面部７３，７３に形成された折り線７４，７４の双方を当該非シール部７２の内側に位置させるように、二つの折り線７４，７４に跨るように形成されている。このスパウト付きガゼット袋７０は、かかるシール構造が適用されているため、これまでに説明した作用効果と同様に良好な耐衝撃性を得ることができる。
【００６３】
一方スパウト９０は、ストロー９２と、このストロー９２の口部９３を開閉する開閉キャップ９１とから構成されている。ストロー９２は、その下部が袋本体７１の内部に挿入されて袋本体７１の上端に取り付けられる。このスパウト９０は、開閉キャップ９１を上から見た場合、時計回りに開閉キャップ９１を回転させると、ストロー９２に対してねじ込まれて口部を密閉する。一方、反時計方向に回転させれば、ストロー９２から取り外される。
【００６４】
なお、このスパウト付きガゼット袋７０の下部開口部を密閉するシール構造についても、図１４に示すものには限定されず、これまでに説明した図７又は図８に示したシール構造を適用することができる
【図面の簡単な説明】
【００６５】
【図１】本発明の一実施形態に係るシール構造を有するガゼット袋の使用態様を示す斜視図。
【図２】図１に示すガゼット袋の開口部を密封する前の態様を示す斜視図。
【図３】図１に示すガゼット袋のヒートシールの形態を示す説明図。
【図４】ガゼット袋の下部に設けられる開口部を密閉するシール構造の説明図。
【図５】図４に示すシール構造を有するガゼット袋に内容物が充填された際の袋の下部を示す図。
【図６】従来品に内容物が充填された際の袋の下部を示す図。
【図７】他の実施形態にかかるガゼット袋のシール構造を示す図。
【図８】更に、別の実施形態にかかるガゼット袋のシール構造を示す図。
【図９】テストサンプルに適用されたシール構造の一態様を示す図。
【図１０】テストサンプルに適用されたシール構造の他の態様を示す図。
【図１１】テストサンプルに適用されたシール構造の更に他の態様を示す図。
【図１２】テスト後の状態を示す図。
【図１３】スパウト付きガゼット袋の斜視図。
【図１４】図１３に示すスパウト付きガゼット袋のシールの態様を示す図。
【符号の説明】
【００６６】
１，３０，５０，７０・・・・ガゼット袋
２，３１，５１，７２・・・・平面部
３，３２，５２，７３・・・・側面部
４，３３，５３，７４・・・・折り線
２０，４０，６０，８０・・・シール部
２１，４１，６０ａ，８１・・内縁
２２，４２，８２・・・・・・非シール部
６１・・・・・・・・・・・・衝撃吸収シール部
９０・・・・・・・・・・・・スパウト
【図１】
2005096861.tif 000004
【図２】
2005096861.tif 000005
【図３】
2005096861.tif 000006
【図４】
2005096861.tif 000007
【図５】
2005096861.tif 000008
【図６】
2005096861.tif 000009
【図７】
2005096861.tif 000010
【図８】
2005096861.tif 000011
【図９】
2005096861.tif 000012
【図１０】
2005096861.tif 000013
【図１１】
2005096861.tif 000014
【図１２】
2005096861.tif 000015
【図１３】
2005096861.tif 000016
【図１４】
2005096861.tif 000017